(57)【要約】【課題】  天板外形は至ってオーソドックな矩形状（隅部に製作上のＲが付いたものを含む）であって、外周上に凹陥部などの異形部を形成していなくても、その天板を突合せ集合したとき、天板の上下間で配線を挿通できる機能、すなわち配線構造を備えたテーブルと、その機能を発揮させるための天板支持ブラケットを提供すること。【解決手段】  天板下面２の四隅部1c，1dに棒状の脚５を有するテーブルにおいて、天板１の隅部に位置した天板直線辺1a，1bの内側に前記脚５の外周を位置付けて設け、当該脚５の上端5aと前記天板下面２の間に前記脚５と天板１を結合するための天板支持用のブラケット３を設けると共に、当該ブラケット３における前記脚上端5aとの接合部位を、当該脚上端部より細く形成、この細く形成した部位から天板上下面の間で配線Ｗを通すようにしたこと。【選択図】図４
2010104555.tif 000002
【特許請求の範囲】
【請求項１】
天板下面の四隅部に棒状の脚を有するテーブルにおいて、天板の隅部に位置した天板直線辺の内側に前記脚の外周を位置付けて設け、当該脚の上端と前記天板下面の間に前記脚と天板を結合するための天板支持用のブラケットを設けると共に、当該ブラケットにおける前記脚上端との接合部位を、当該脚上端部より細く形成、この細く形成した部位から天板上下面の間で配線を通すようにしたことを特徴とするテーブルにおける配線構造。
【請求項２】
天板は、隅部の少なくとも１箇所にアールが付けられ、残りの隅部はアールの付かない直角に形成されていると共に当該天板の各隅部で交差する直線辺に内接する外輪郭の脚を備えており、その天板を備えたテーブルの少なくとも２台を、天板を突合せて配置したとき、隣合うテーブルの脚同士が干渉しない請求項１のテーブルにおける配線構造。
【請求項３】
アールが付いた天板の隅部では、平面から見たとき脚の一部が前記隅部から露出して見えるように当該隅部のアールを付けた請求項2のテーブルにおける配線構造。
【請求項４】
天板裏面に上面が当接固定される天板支持プレート部と、該プレート部の下面側にその一端側が一体に設けられると共に他端側が前記プレート部の外形から突出するように形成されたアーム部と、該アーム部の先端部に形成され脚の上端に結合される脚結合部とを備え、該脚結合部における外側の平面外形が脚の平断面外形より内側に位置するように形成したことを特徴とする天板支持ブラケット。
【発明の詳細な説明】
【技術分野】
【０００１】
本発明は複数台のテーブルをそれらの天板同士を突合せ集合して使用するテーブルにおいて、床下から天板上へ又は天板上から床下へ配線を挿通させる機能を、天板と脚との取付構造部に付与したテーブルにおける配線構造と、その配線構造を実現するため天板と脚との間に介在させるブラケットに関する。なお、本発明においてテーブルとは、天板と棒状脚を有するデスクをも含む概念として用いる。
【背景技術】
【０００２】
テーブルの天板上で使用するパソコン等の電源線や通信線などを天板の下方から天板上に導く、或は、その逆方向に導くための構造としては、天板に形成した溝状の配線用開口部の下方に樋状などの配線ダクトを設けたタイプのものが多い。
【０００３】
一方、天板に配線用開口や配線ダクトを設けることなく、天板の上，下面間において配線を導入，導出できるようにしたテーブルも、特許文献１，２などにより公知である。
【０００４】
天板に配線用開口や配線ダクトを設けないタイプの特許文献１，２などにより提案されているテーブルでは、天板の上，下面の間で配線を挿通させるために、天板の外形（外周形状）を異形にし、当該異形部位から配線の導出，導入をしている。
すなわち、特許文献１，２に開示された技術では、異形天板同士をつき突合せ配置したとき、当該異形の該周辺同士によって配線挿通用の開口部や切欠部が形成されるように、天板の外周辺の一部が浅い凹陥状に形成されていたり、天板の隅部に略１／４円弧状の切欠部が形成されたりしている。
【０００５】
しかし乍ら、天板外形を上記例のように異形状に形成することは、天板の作製に余計な手間を要して天板コストを押上げるという問題があるほか、異形の凹陥部や切欠部から筆記具などが天板の下へ落ちるなどの問題があり、また、当該テーブルを集合させずに単独で使用する場合、前記の異形外形部の形状に異和感を覚えるといった難点もある。
【特許文献１】特開２０００−１０２４１９号公報
【特許文献２】特開２０００−２８７７６３号公報
【発明の開示】
【発明が解決しようとする課題】
【０００６】
本発明では、天板外形は至ってオーソドックな矩形状（隅部に製作上のＲが付いたものを含む）であって、外周上に凹陥部などの異形部を形成していなくても、その天板を突合せ集合したとき、天板の上下間で配線を挿通できる機能、すなわち配線構造を備えたテーブルと、その機能を発揮させるための天板支持ブラケットを提供することを、その課題とする。
【課題を解決するための手段】
【０００７】
上記課題を解決することを目的としてなされた本発明配線構造の構成は、天板下面の四隅部に棒状の脚を有するテーブルにおいて、天板の隅部に位置した天板直線辺の内側に前記脚の外周を位置付けて設け、当該脚の上端と前記天板下面の間に前記脚と天板を結合するための天板支持用のブラケットを設けると共に、当該ブラケットにおける前記脚上端との接合部位を、当該脚上端部より細く形成、この細く形成した部位から天板上下面の間で配線を通すようにしたことを特徴とするものである。
【０００８】
上記本発明の構成において、テーブルは、隅部の少なくとも１箇所にアールが付けられ、残りの隅部はアールの付かない直角に形成されていると共に、各隅部の直線辺の交差部に内接する外輪郭の脚を設けた天板を備えたものであり、そのテーブルの少なくとも２台を、天板を突合せて配置したとき、隣合うテーブルの脚同士が干渉せず、かつ、アールが付いた隅部において、配線を天板の上，下面の間で通すことができる。ここで、アールが付いた隅部は平面から見たとき脚が当該隅部から露出して見える曲率のアールを付けることがある。
【０００９】
本発明において、上記構成の配線構造を実現するための天板支持用ブラケットの構成は、天板裏面に上面が当接固定される天板支持プレート部と、該プレート部の下面側にその一端側が一体に設けられると共に他端側が前記プレート部の外形から突出するように形成されたアーム部と、該アーム部の先端部に形成され脚の上端に結合される脚結合部とを備え、該脚結合部における外側の平面外形が脚の平断面外形より内側に位置するように形成したことを特徴とするものである。
【００１０】
脚結合部に脚の上端部を結合した上記ブラケットは、天板裏面に取付けるとき、前記脚の外周が天板隅部の直線辺に内接するか、僅かに内側に位置づけられるように取付けられる。
この取付態様によって、天板隅部に制作上のアールが付されていると、前記脚の外周が当該天板のアールが付いた隅部よりも外側に突出することがあるものの、この脚の平断面全体の外周は必らず天板の直線辺に内接しているか、僅かに内側に位置しているから、２台以上のテーブルの天板同士を突合せて集合しても、隣合うテーブルの脚同士が干渉することはない。
【発明の効果】
【００１１】
本発明は、天板の下面四隅部に棒状の脚を有するテーブルにおいて、天板下面の四隅部に棒状の脚を有するテーブルにおいて、天板下面の四隅部に棒状の脚を有するテーブルにおいて、天板の隅部に位置した天板直線辺の内側に前記脚の外周を位置付けて設け、当該脚の上端と前記天板下面の間に前記脚と天板を結合するための天板支持用のブラケットを設けると共に、当該ブラケットにおける前記脚上端との接合部位を、当該脚上端部より細く形成、この細く形成した部位から天板上下面の間で配線を通すようにしたので、配線用の溝や配線ダクトを備えない天板であっても、また、当該天板の外周辺に配線を通すための凹陥部や切欠部を設けなくても配線挿通機能を持たせることができる。
【００１２】
また、上記の配線挿通機能は、天板下面に上面が当接固定される天板支持プレート部と、該プレート部の下面側にその一端側が一体に設けられると共に他端側が前記プレート部の外形から突出するように形成されたアーム部と、該アーム部の先端部に形成され脚の上端に結合される脚結合部とを備え、該脚結合部における外側の平面外形が脚の平断面外形より内側に位置するように形成した天板支持用のブラケットによって得られる。
【発明を実施するための最良の形態】
【００１３】
次に、本発明配線構造の実施形態の一例と、そのためのブラケットの実施形態の例について、図面を参照して説明する。
【００１４】
図１は本発明配線構造を適用した４台のテーブルを天板突合せ状態で集合した例の要部の平面図、図２は図１に用いた１台のテーブルにおいては隅部拡大した斜視図、図３は図２のテーブルの要部の平面図、図４は図３のテーブルにおいて脚の高さを中間省略した要部の正面図、図５は本発明ブラケットの一例の斜視図、図６は本発明ブラケットの他の例の斜視図である。
【００１５】
図において、１はテーブルにおける平面矩形状を呈する天板で、1a，1bは当該天板１の直線辺、1cは両直線辺1a，1bが直交するアールが付いた2つの隅部で、ここでは一般的な天板のコーナー用アールが付けられている。なお、本発明においてアールの付いた隅部は1箇所〜４箇所のいずれであってもよく、隅部にアールが付かない場合もある。1dは、図１においては直線辺1aに平行な長手の直線辺1a´と短かい直線辺1bとの交差部に形成したアールが付かない2つの直角隅部である。天板隅部にアールが付けられた場合の直角隅部の数はアール付き隅部の数で決まるが、すべての隅部にアールが付かない場合には、四隅部は直角隅部になる。図１の天板１の四隅部には、ここでは断面円形の４本の脚５が、その脚の外周が天板の隅部近傍の直線辺のからはみ出さないように位置付けて設けられている。この点については、後述する。
【００１６】
上記天板１のアールが付いた隅部1cとアールのない直角隅部1dには、図示した例では細目の円柱状の脚５の４本が、天板支持用のブラケット３（以下、単にブラケット３という）を介して天板下面２の四隅に取付けられている（図１参照）。このとき、各脚５の平断面外径（最も大径部の輪郭）は天板１の直線辺1a，1b、同1a´，1bの交叉部に内接する位置に設定される。なお、前記内接は幾何学上の内接の意であるが、製作上の限界乃至許容差をも含む意味で用いている。
【００１７】
ブラケット３は、図５，図６の斜視図に例示するように、天板１の下面２に面当接して当該天板にネジ止め４などにより固定するためのネジ穴31aを設けた略四角形の天板支持プレート部31と、該プレート部31の下面側に、ここでは当該プレート部31を斜め（対角線）に横断する向きに形成されたアーム部32と、該アーム部32の先端側において前記プレート部31の前端側の外周縁から突出させられ、突出端の下部側に後述する脚５がその脚５の上端において結合される脚結合部33とを備えて形成されている。
【００１８】
図５のブラケット３は、天板下面２に取付られる天板フレーム６の端部を結合固定するためのフレーム受座34がブラケットの後端側に形成されている。図６のブラケット３は、天板フレーム６が設けられない小形天板用のブラケットである。従って、図6のブラケット３には受座34はない。なお、前記プレート部31の平面形状は、上記例以外の多角形、或は、円形乃至これに類する形状であってもよい。また、アーム部32の先端に形成された脚結合部33は、その先端部33aの外面側の外径が脚上端部5aの外径よりも小さく（小径に）形成されている。
【００１９】
図３，図５に例示したフレーム受け座34は、ブラケット３に対して90度の角度違いで配設される（換言すれば、天板１の直線辺に平行に配置される）１本の天板フレーム６を受けるための受け座34として形成されているが、本発明ブラケット３においてフレーム受け座34は上記例に限られるものではない。例えば、ブラケット３に対して直交した向きで配置される２本の天板フレーム６，６（直線辺1a，1bに平行に配置される天板フレーム６，６）の直交する部位を受けて取付けることができるように形成したものもある。なお、７は前記受座34に突設した天板フレーム６の位置決めピンである（図３参照）。
【００２０】
本発明ブラケット３は、天板１の隅部1c，1dの裏面２において、天板支持プレート31におけるアーム部32が、当該隅部1cにおける直線辺1a，1bと同1a´，1bに対し45度の角度で配向するように、天板支持プレート31がネジ４などによってその天板１の裏面２に取付けられる。
なお、天板裏面２に取付けられるブラケット３は、組立て工程の便宜上、天板下面２への取付け前に、その脚結合部33に脚５の上端を結合取付けする工程を先行させる。
【００２１】
上記のようにして、天板裏面２における隅部1c，1dの内側に、ブラケット３を介して取付けられた４本の脚５は、その上端面5aの上方に、当該脚５の外径よりも小径のアーム部33の先端部33aによる隙間ｇが形成される。
【００２２】
天板１の下面２と脚５の上端面の間に上記隙間ｇが形成されていることによって、天板下面２の側と天板１の上面側の間において、前記隙間ｇを経由して配線Ｗを導入，導出することができる（図２，図４に一点鎖線で示す配線Ｗを参照）。
従って、上記の配線挿通のための構成を備えた本発明テーブルは、図１に示すように直角隅部同士を突合せて集合配置すると、４枚の天板の当接線が全て密着して、あたかも一枚天板のテーブルのように使用することができ、それでも配線を天板の上，下間において挿通できる機能も有する。
一方、図１の４枚の天板配列を、図１の左列の天板１，１と右列の天板１，１を左右で入れ替えて配置すると、４枚の天板１が集合した中央部に各天板１のアール付きの隅部が集合するので、集合した４枚の天板１の中央部から配線を天板の上，下間で挿通することができる。
なお、床から脚5に沿って立ち上げられる配線Ｗは、脚５に装着される配線クリップ（図示せず）に保持させると邪魔になりにくい配線を実現できる。
【産業上の利用可能性】
【００２３】
本発明は以上の通りであって、天板下面の四隅部に棒状の脚を有するテーブルにおいて、天板の隅部に位置した天板直線辺の内側に前記脚の外周を位置付けて設け、当該脚の上端と前記天板下面の間に前記脚と天板を結合するための天板支持用のブラケットを設けると共に、当該ブラケットにおける前記脚上端との接合部位を、当該脚上端部より細く形成してテーブルの配線構造を形成する一方、この構造を、天板裏面に上面が当接固定される天板支持プレート部と、該プレート部の下面側にその一端側が一体に設けられると共に他端側が前記プレート部の外形から突出するように形成されたアーム部と、該アーム部の先端部に形成され脚の上端に結合される脚結合部とを備え、該脚結合部における外側の平面外形が脚の平断面外形より内側に位置するように形成したブラケットにより達成するようにしたので、天板中央部に配線用開口や配線用ダクトが設けられず、かつ、天板外周辺に配線を通すための凹陥部や切欠部を設けなくても、換言すれば、前記配線用の特別の構成を備えない通常の矩形天板であっても、天板上と床側（天板下）との間で、配線を体裁よく通すことができるという、格別の効果が得られる。
【００２４】
特に、天板に配線用開口や配線ダクトを設けない上に、天板外周上に配線用の凹陥部や切欠部も設けないので、天板の製造コストを著しく圧縮することができるのみならず、容易かつ低コストに天板を作製できるというメリットが得られる。
【００２５】
さらに本発明では、天板の四隅ぎりぎりの位置（天板直線辺の交差する隅部においても当該直線辺に内接する位置乃至その極く近傍）に４本の脚を設けたが、その脚は、天板の直線辺の交差部（隅部）において脚の外周が前記直線辺からはみ出さない位置（直線辺に内接乃至内接近傍の位置）に設けているので、この脚を有する２台以上のテーブルを天板同士を突合せ密着させて集合配置しても、隣合うテーブルの脚同士が干渉せず、なおかつ、この状態で天板の上下間で配線を通すことができるという、格別の効果が得られる。
【図面の簡単な説明】
【００２６】
【図１】本発明配線構造を適用したテーブル４本を天板突合せ状態で集合した例の要部の平面図。
【図２】図１に用いた１本のテーブルの要部の斜視図。
【図３】図２のテーブルの要部の平面図。
【図４】図３のテーブルにおいて脚の高さを中間省略した要部の正面図。
【図５】本発明ブラケットの一例の斜視図。
【図６】本発明ブラケットの他の例の斜視図。
【符号の説明】
【００２７】
１    天板
２    天板下面
３    ブラケット
４    ブラケットの止めネジ
５    脚
６    天板フレーム
７    天板フレームの位置決めピン
Ｗ    配線
ｇ    隙間
【図１】
2010104555.tif 000003
【図２】
2010104555.tif 000004
【図３】
2010104555.tif 000005
【図４】
2010104555.tif 000006
【図５】
2010104555.tif 000007
【図６】
2010104555.tif 000008